(57)【要約】      （修正有）【課題】首まわり接合部の留めはずし部材と、裾部を折り返してポケットを形成する留はずし部材の業務用クリーニングでの破損を防ぐ、スナップボタン付食事エプロンを提供する。【解決手段】上記課題を解決するため、本考案は、食事エプロン１の首まわり接合部の留はずし部材と中部両端を折り返してポケットを形成する留めはずし部材に留めはずしの自在な雌雄部一対となすテープ付き薄平型耐熱スナップボタン２，３，４を縫着して構成する。また、上記スナップボタンは、手操作で簡単にはずすことができ、かつ、業務用クリーニングでの破損防止のため耐熱合成樹脂で薄く平らに成型されたものを使用する。【選択図】図２
0003153526.tif 000002
【実用新案登録請求の範囲】
【請求項１】
食事エプロンの首まわり接合部の留めはずしに雌雄部一対となすテープ付き薄平型耐熱スナップボタンが縫着されていることを特徴とする、テープ付き薄平型耐熱スナップボタン付き食事エプロン
【請求項２】
食事エプロンの前面中部にポケットを形成する雌雄部一対となすテープ付き薄平型耐熱スナップボタンが縫着されていることを特徴とする、テープ付き薄平型耐熱スナップボタン付き食事エプロン
【考案の詳細な説明】
【技術分野】
【０００１】  食事エプロンの首まわり接合部の留めはずしや食事エプロンの前面中部に中部両端を折り返してポケットを形成するための雌雄部一対となすテープ付き薄平型耐熱スナップボタンが縫着されていることを特徴とするテープ付き薄平型耐熱スナップボタン付き食事エプロンに関するものである。
【背景技術】
【０００２】  従来、食事エプロンの首まわり接合部の留めはずしにはスナップボタンや面状ファスナーなどの留め具が用いられていた。【０００３】  また、従来の食事エプロンは食事の食べこぼしを食事エプロンの裾部で受けるため裾部を折り返してポケットを形成するためスナップボタンや面状ファスナーなどの留め具が用いられていた。【０００４】  さらに、食事エプロンの業務用クリーニングにおける乾燥シワ取り機であるロールアイロナーの高温度特性や、食事エプロンを送り込む狭い隙間、シワ取りのための加圧等の条件下では、業務用クリーニングをすることができる食事エプロンにはその形や使用する部材等に制約があった。
【考案が解決しようとする課題】
【０００５】  従来のスナップボタンが取り付けられた食事エプロンは業務用クリーニングにおける乾燥シワ取り機であるロールアイロナーの高温度と加圧でスナップボタンが形状変化を発生し雌雄のボタンの機能を保持することができなかった。
【０００６】  また面状ファスナーが縫着された食事エプロンは業務用クリーニングにおける乾燥シワ取り機であるロールアイロナーの高温度と加圧で面状ファスナーが形状変化を発生し雌雄のファスナー機能を保時することができなかった。
【０００７】  さらに面状ファスナーが縫着された食事エプロンは業務用クリーニングにおいて洗い取られた繊維屑が面状ファスナーの雌雄に絡み付きファスナー機能を保時することができなかった。
【０００８】  本考案は上記問題点を解決することを目的とするものである。
【課題を解決するための手段】
【０００９】  上記目的を解決するため、本考案は、食事エプロンの首まわり接合部に留めはずしの自在な雌雄部一対となすテープ付き薄平型耐熱スナップボタンが縫着され食事エプロンの前面中部には食事の食べこぼしを受けるために中部両端を折り返してポケットを形成するための留めはずしの自在な雌雄部一対となすテープ付き薄平型耐熱スナップボタンが縫着されていることで構成したものである。
【００１０】  上記スナップボタンは、業務用クリーニングのために耐熱性合成樹脂で薄く平らに成型されたものである。
【考案の効果】
【００１１】  本考案は上述の如く構成したので、食事用エプロンが業務用クリーニングで容易にクリーニングを行うことができる効果が存する。
【考案を実施するための最良の形態】
【００１２】  食事エプロンの首まわり接合部に留めはずしの自在な雌雄部一対となすテープ付き薄平型耐熱スナップボタンが縫着されている。（図１）【００１３】  食事エプロンの首まわり部分の接合方法は、首の太さに応じて接合場所を変えることができるよう２カ所以上で接合点が選ばれるようにする（図１）【００１４】  食事エプロンの前面中部には食事の食べこぼしを受け止めるために中部両端を折り返してポケットを形成するための留めはずしの自在な雌雄部一対となすテープ付き薄型耐熱スナップボタンが縫着されている。（図１）【００１５】  前面中部を折り返してポケットを形成するための留めはずしの自在な雌雄部一対となすテープ付き薄平型耐熱スナップボタンの雄部と雌部の縫着位置は裾部寄りに縫着された雄部に対し食事エプロン本体の垂直方向上部で中心方向にずらして雌部を縫着すことにより形成されたポケットの形状が膨出して食事の食べこぼしを受け止めやすくなる。【００１６】  留め具をはずすと容易に一枚の布状にもどるので、ポケット部に受け止められた食べこぼしを取り除きやすく業務用クリーニングが簡単にできる。
【実施例】  以下に本考案の構成を添付図面に示す実施例を参照して詳細に説明する。【００１７】  １は食事エプロンであり、首まわり接合部に留めはずしの自在な雌雄部一対となすテープ付き薄平型耐熱スナップボタン（図２）が縫着され構成されている。（図１）【００１８】  食事エプロンの前面中部には食事の食べこぼしを受けるために中部両端を折り返してポケットを形成するための留めはずしの自在な雌雄部一対となすテープ付き薄型耐熱スナップボタン（図２）が縫着されている。（図１）【００１９】  上述の食事エプロンを使用する際に食事エプロンの首まわり接合部を重ね合わせ留めはずしの自在な雌雄部一対となすテープ付き薄平型耐熱スナップボタンの雌雄部をはめることで簡単に留め合わせることができる。【００２０】  上述の食事エプロンを使用する際に食事エプロンの中部両端を折り返して重ね合わせ留めはずしの自在な雌雄部一対となすテープ付き薄平型耐熱スナップボタンの雌雄部をはめることで簡単に留め合わせることができ食べこぼしを受け止めるためのポケットを形成することができる。【００２１】  テープ付き薄平型耐熱スナップボタンは雌雄の縫着部を引っ張ることにより簡単にはずすことができる。
【産業上の利用可能性】
【００２２】  本考案は、業務用クリーニングにおいて食事エプロンの破損を極めて少なくすることができきる可能性を存する。
【図面の簡単な説明】
【００２３】
【図１】本考案の平面から見た外観図である。
【図２】テープ付き薄平型スナップボタンの雄部と雌部の外観図である。
【図３】テープ付き薄平型スナップボタンの断面図である。
【図４】本考案の説明的外観図である。
【符号の説明】
【００２４】１  食事エプロン本体
２  雄部のテープ付薄平形耐熱スナップボタン
３  雌部のテープ付薄平形耐熱スナップボタン
４  食事エプロン首まわり接合部片側裏面に縫着された雄部のテープ付薄平形耐熱スナップボタン
５  テープ
６  スナップボタン雄部
７  スナップボタン雌部
８  スナップボタン雄部ベース
９  スナップボタン雌部ベース
１０  首まわり接合部
１１  形成されたポケット
【図１】
0003153526.tif 000003
【図２】
0003153526.tif 000004
【図３】
0003153526.tif 000005
【図４】
0003153526.tif 000006